(57)【要約】      （修正有）【課題】染め残しや塗布ムラを少なく頭髪全体にヘアカラーリング剤を塗布できるとともに、頭髪および頭皮全体にヘアカラーリング剤を塗布する時間を短縮できるくしを提供する。【解決手段】本考案のくし１は、頭髪に塗布されるヘアカラーリング剤Ｂを保持する凹部１０と、凹部に設けられ、凹部の開口方向に延びる複数のくし歯２０と、を備える。複数のくし歯は、全て凹部の開口縁１１に設けられている。また、複数のくし歯は、開口縁に沿って等間隔に配置されている。くし歯の先端部２１は、丸みを帯びている。【選択図】図２
0003233282.tif 000002
【実用新案登録請求の範囲】
【請求項１】
頭髪に塗布されるヘアカラーリング剤を保持する凹部と、
前記凹部に設けられ、前記凹部の開口方向に延びる複数のくし歯と、
を備えるくし。
【請求項２】
複数の前記くし歯は、全て前記凹部の開口縁に設けられている請求項１に記載のくし。
【請求項３】
複数の前記くし歯は、前記開口縁に沿って等間隔に配置されている請求項２に記載のくし。
【請求項４】
前記開口縁に沿って隣り合う前記くし歯同士の間隔は、５．０ｍｍ以上９．０ｍｍ以下であり、
前記くし歯における前記開口方向の長さは、２１ｍｍ以上２６ｍｍ以下であり、
前記くし歯における前記開口縁に沿う幅は、６ｍｍ以上１１ｍｍ以下である請求項２または請求項３に記載のくし。
【請求項５】
前記くし歯の先端部は、丸みを帯びている請求項１から請求項４のいずれか１項に記載のくし。
【請求項６】
前記凹部から前記開口方向と交差する方向に延びる連結部と、
前記連結部における前記凹部とは反対側の端部に設けられ、前記凹部から離間する方向に延びる把持部と、
を備える請求項１から請求項５のいずれか１項に記載のくし。
【請求項７】
前記把持部は、前記連結部から直線状に延び、
前記把持部の長さは、９０ｍｍ以上１００ｍｍ以下である請求項６に記載のくし。
【請求項８】
前記凹部および前記くし歯は、前記把持部よりも柔らかい請求項６または請求項７に記載のくし。
【請求項９】
前記凹部は、前記ヘアカラーリング剤としてヘナを保持する請求項１から請求項７のいずれか１項に記載のくし。
【考案の詳細な説明】
【技術分野】
【０００１】
本考案は、くしに関する。
【背景技術】
【０００２】
複数の歯（くし歯）が形成された作用部と施術者である理美容師が手に把握する棒状の柄部が一体として構成された毛染め用くし（くし）が開示されている（例えば、特許文献１参照）。作用部の下面には柔毛からなるブラシが形成されている。くしは、理美容において被術者の頭髪を複数のくし歯にて大まかにとかし、さらにブラシにヘアカラーリング剤を載置して被術者の頭髪に塗布する。
【先行技術文献】
【特許文献】
【０００３】
【特許文献１】特開２００７−２０６９２号公報
【考案の概要】
【考案が解決しようとする課題】
【０００４】
先行技術のくしは、ブラシでヘアカラーリング剤を保持するため、頭髪全体にヘアカラーリング剤を塗布するのに十分な量のヘアカラーリング剤を保持することができない。このため、染め残しや塗布ムラを生じさせることなく、頭髪全体にヘアカラーリング剤を塗布することが困難であった。また、ブラシは頭髪および頭皮全体にヘアカラーリング剤を塗布するのに十分な量のヘアカラーリング剤を保持できない。このため、ブラシを用いて頭髪および頭皮全体にヘアカラーリング剤を塗布するには、ヘアカラーリング剤を頻繁に補充する必要がある。それゆえ、頭髪および頭皮全体にヘアカラーリング剤を塗布するのに時間がかかる。したがって、頭髪および頭皮全体にヘアカラーリング剤を塗布する時間を短縮するという点で改善の余地が残されていた。
【０００５】
そこで、本考案は、染め残しや塗布ムラを少なく頭髪全体にヘアカラーリング剤を塗布できるとともに、頭髪および頭皮全体にヘアカラーリング剤を塗布する時間を短縮できるくしを提供することを目的とする。
【課題を解決するための手段】
【０００６】
上記目的を達成するために、本考案の一態様に係るくしは、頭髪に塗布されるヘアカラーリング剤を保持する凹部と、前記凹部に設けられ、前記凹部の開口方向に延びる複数のくし歯と、を備える。
【０００７】
本態様によれば、くしは、ヘアカラーリング剤を保持する凹部を備えている。これにより、ブラシでヘアカラーリング剤を保持する従来技術と比較して、頭髪全体にヘアカラーリング剤を塗布するのに十分な量のヘアカラーリング剤を保持できる。これにより、使用者は、凹部に保持されたヘアカラーリング剤の残量を意識することなく、染め残しや塗布ムラを少なく頭髪全体にヘアカラーリング剤を塗布できる。特に、使用者が自分で頭髪を染色する場合に好適である。
また、くしは、頭髪および頭皮全体にヘアカラーリング剤を塗布するのに十分な量のヘアカラーリング剤を保持できる。これにより、使用者は、従来技術と比較して、頭髪および頭皮全体にヘアカラーリング剤を塗布し終えるまでに凹部にヘアカラーリング剤を補充する回数を少なくできる。したがって、くしは、頭髪および頭皮全体にヘアカラーリング剤を塗布する時間を短縮できる。
本態様によれば、くしは、凹部の開口方向に延びる複数のくし歯を備えているので、くし歯により頭髪をとかして頭髪を整えつつ、頭髪にヘアカラーリング剤を塗布できる。さらに、くし歯によって頭皮にヘアカラーリング剤を塗布できるので、頭髪の新生部分までヘアカラーリング剤を塗布できる。これにより、くしは、染め残しや塗布ムラを少なくできる。
【０００８】
上記態様のくしにおいて、複数の前記くし歯は、全て前記凹部の開口縁に設けられていてもよい。
例えばくし歯が凹部の内部に設けられている場合、ヘアカラーリング剤を保持する凹部の容積がくし歯の体積分減少する。本態様によれば、複数のくし歯は、全て凹部の開口縁に設けられているので、くし歯が凹部の内部に設けられている場合と比較して、くしは、ヘアカラーリング剤を保持するための凹部の容積を大きく確保できる。したがって、くしは、凹部でより多くのヘアカラーリング剤を保持できるので、くし歯が凹部の内部に設けられている場合と比較して、塗布１回あたりのヘアカラーリング剤の量を増量できる。よって、くしは、頭髪および頭皮全体にヘアカラーリング剤を塗布する時間を短縮できる。
【０００９】
上記態様のくしにおいて、複数の前記くし歯は、前記開口縁に沿って等間隔に配置されていてもよい。
本態様によれば、くし歯が凹部の開口縁に沿って等間隔に配置されているので、くし歯により頭髪をとかして頭髪を整えつつ、頭髪にヘアカラーリング剤を塗布できる。これにより、くしは、塗布ムラを少なくできる。
【００１０】
上記態様のくしにおいて、前記開口縁に沿って隣り合う前記くし歯同士の間隔は、５．０ｍｍ以上９．０ｍｍ以下であり、前記くし歯における前記開口方向の長さは、２１ｍｍ以上２６ｍｍ以下であり、前記くし歯における前記開口縁に沿う幅は、６ｍｍ以上１１ｍｍ以下であってもよい。
本態様によれば、開口縁に沿って隣り合うくし歯同士の間隔、くし歯における開口方向の長さ、および開口縁に沿う幅を上記のように設定することで、染め残しや塗布ムラを少なくできることが確認できた。
【００１１】
上記態様のくしにおいて、前記くし歯の先端部は、丸みを帯びていてもよい。
本態様によれば、くしは、頭髪にヘアカラーリング剤を塗布する際、くし歯の先端部が頭皮に接触して痛みが生じるのを防止できる。これにより、使用者は、痛みを感じることなく、くし歯の先端部を頭皮に接触させつつ頭皮に対してくし歯を動かすことができる。このため、使用者は、くし歯の先端部によって頭髪の新生部分までヘアカラーリング剤を塗布できるので、染め残しを少なくできる。また、使用者は、痛みを感じることなく、くし歯の先端部を頭皮に接触させつつ頭皮に対してくし歯を動かせるので、頭皮マッサージを行うことができる。頭皮マッサージを行うことにより、頭皮の血行を促進できる。
【００１２】
上記態様のくしにおいて、前記凹部から前記開口方向と交差する方向に延びる連結部と、前記連結部における前記凹部とは反対側の端部に設けられ、前記凹部から離間する方向に延びる把持部と、を備えてもよい。
本態様によれば、くしは、凹部から離間した位置に把持部を備えている。これにより、使用者は、把持部を把持することで、凹部を把持することなく頭髪にヘアカラーリング剤を塗布できる。したがって、くしは、使用者の手にヘアカラーリング剤が付着することを防止できる。
【００１３】
上記態様のくしにおいて、前記把持部は、前記連結部から直線状に延び、前記把持部の長さは、９０ｍｍ以上１００ｍｍ以下であってもよい。
一般に、成人の手幅の平均値は、７０ｍｍ以上９０ｍｍ以下である。本態様によれば、把持部の長さは、一般の成人の手幅より長くなる。これにより、使用者は、掌全体で把持部を把持できる。したがって、使用者は、把持部をしっかり把持して頭髪にヘアカラーリング剤を塗布できる。
本態様によれば、把持部の長さが１００ｍｍ以下に設定されているので、把持部が掌全体で把持されるのに必要な長さ以上に長くならない。これにより、くしが必要以上に重くなることを防止できる。また、把持部のうち把持に不要な部分がないので、使用感を向上できる。
【００１４】
上記態様のくしにおいて、前記凹部および前記くし歯は、前記把持部よりも柔らかくてもよい。
本態様によれば、くしは、頭髪にヘアカラーリング剤を塗布する際、くし歯の先端部および凹部が頭皮に接触して痛みが生じるのを防止できる。
【００１５】
上記態様のくしにおいて、前記凹部は、前記ヘアカラーリング剤としてヘナを保持してもよい。
一般に、ヘナは、頭髪を染めるには、他の染料と比較して大量に塗布される必要がある。本態様によれば、くしは、ヘアカラーリング剤を保持する凹部を備えている。これにより、くしは、従来技術と比較して、ヘナを大量に保持できる。したがって、上記態様のくしは、ヘナを用いて頭髪を染めるのに好適である。
【考案の効果】
【００１６】
上記各態様によれば、染め残しや塗布ムラを少なく頭髪全体にヘアカラーリング剤を塗布できるとともに、頭髪および頭皮全体にヘアカラーリング剤を塗布する時間を短縮できるくしを提供できる。
【図面の簡単な説明】
【００１７】
【図１】実施形態に係るくしの使用態様を示す図である。
【図２】実施形態に係るくしの斜視図である。
【図３】実施形態に係るくしの側面図である。
【図４】実施形態に係るくしを凹部の開口方向から見た平面図である。
【図５】実施形態に係るくしを凹部の開口方向とは反対側から見た底面図である。
【図６】実施形態に係るくしの背面図である。
【考案を実施するための形態】
【００１８】
以下、本考案の実施形態について図面を参照して説明する。以下の説明では、略同一または類似の機能を有する構成に同一の符号を付して、重複する説明を省略する場合がある。
図１は、くし１の使用態様を示す図である。
図１に示すように、使用者Ａは、頭部Ａ１の頭髪Ａ２および頭皮Ａ３にヘアカラーリング剤Ｂを塗布するためにくし１を使用する。ヘアカラーリング剤Ｂは、頭髪Ａ２を染色するものである。ヘアカラーリング剤Ｂには、例えば染毛剤（医薬部外品）および染毛料（化粧品）が含まれる。ヘアカラーリング剤Ｂは、例えば粘性を有するヘナＢ１である。ヘナＢ１は、ヘアカラーリング剤Ｂのうち染毛料に分類される。ヘナＢ１（ヘンナ）（学名：Ｌａｗｓｏｎｉａ  ｉｎｅｒｍｉｓ）は、ミソハギ科の植物である。ヘナＢ１は、染料として古代から使用されてきたハーブである。ヘナＢ１は、例えば頭髪Ａ２を染色するために、頭髪Ａ２および頭皮Ａ３に塗布される。粉末状のヘナＢ１を水やお湯等で溶き、粘性を持つペースト状にすることで、ヘナＢ１はヘアカラーリング剤Ｂになる。以下の説明において、特に説明の無い限り、ヘナＢ１は、水やお湯等で溶かされたペースト状のものとする。
【００１９】
くし１は、例えばＡＢＳ（Ａｃｒｙｌｏｎｉｔｒｉｌｅ  Ｂｕｔａｄｉｅｎｅ  Ｓｔｙｒｅｎｅ）樹脂等の柔らかい材料で形成されている。
図２は、くし１の斜視図である。                              
図２に示すように、くし１は、凹部１０と、複数のくし歯２０と、連結部３０と、把持部４０と、を備えている。
【００２０】
（凹部）
図３は、くし１の側面図である。
図１に示すように、凹部１０は、椀状に形成されている。凹部１０は、頭髪Ａ２に塗布されるヘアカラーリング剤ＢとしてヘナＢ１を保持する。図３に示すように、凹部１０の厚さは、一様となっている。凹部１０は、凹部１０の底部１２から凹部１０の開口縁１１に向かうにしたがい、漸次拡径する。凹部１０の外面は、側面視で円弧状である。
図４は、くし１を凹部１０の開口方向から見た平面図である。
図４に示すように、開口縁１１は、平面視で長軸Ｏ１と短軸Ｏ２とを有する楕円状に形成されている。
【００２１】
（くし歯）
図３および図４に示すように、複数のくし歯２０は、全て凹部１０の開口縁１１に設けられている。複数のくし歯２０は、平面視で開口縁１１の長軸Ｏ１を中心線として線対称に配置されている。複数のくし歯２０は、開口縁１１に沿って等間隔に配置されている。複数のくし歯２０は、平面視で開口縁１１の長手方向の一方側に開口するＵ字状に配置されている。一のくし歯２０は、開口縁１１の長手方向の他方側端部に設けられている。くし歯２０は、１１本設けられている。
くし歯２０は、開口縁１１から凹部１０の開口方向に延びている。くし歯２０は、開口縁１１に沿う板状に形成されている。くし歯２０の内面は、凹部１０の内面と面一である。くし歯２０の外面は、凹部１０の外面と面一である。
【００２２】
くし歯２０は、先端部２１と、基端部２２と、胴部２３と、を備えている。
くし歯２０の先端部２１は丸みを帯びており、側面視で開口方向に凸となる半円状に形成されている。くし歯２０の基端部２２は、側面視で開口方向に向かうにしたがい幅狭となる台形状に形成されている。基端部２２の両側辺は、側面視で基端部２２の内側に向かって凸となるように湾曲している。隣り合う基端部２２同士は、滑らかに接続されている。胴部２３は、先端部２１と基端部２２とを接続している。胴部２３は、基端部２２から先端部２１に向かうにしたがい幅狭となる台形状に形成されている。胴部２３の両側辺は、側面視で直線状に延びている。
【００２３】
隣り合う２つのくし歯２０において、隣り合う胴部２３同士の最大間隔Ｌ１（請求項の間隔に相当）は、例えば８．３ｍｍである。くし歯２０の長さＬ２は、例えば２３．７１ｍｍである。くし歯２０の胴部２３の最小幅Ｌ３（請求項の幅に相当）は、例えば６．９３ｍｍである。くし歯２０の胴部２３の最大幅Ｌ４（請求項の幅に相当）は、例えば９．５７ｍｍである。
【００２４】
（連結部）
連結部３０は、凹部１０における開口縁１１の長手方向の一方側端部に設けられている。連結部３０は、平面視で開口縁１１の長軸Ｏ１に沿って直線状に延びている。連結部３０は、側面視で、凹部１０から離間するにしたがい、開口方向に傾斜している。連結部３０の幅は、例えば１４．２４ｍｍである。
【００２５】
図５は、くし１を凹部１０の開口方向とは反対側から見た底面図である。
図５に示すように、連結部３０は、補強リブ３１を備えている。
補強リブ３１は、連結部３０の開口方向とは反対側の表面に３本設けられている。補強リブ３１は、連結部３０の長手方向に延びている。補強リブ３１は、連結部３０の長手方向の全体にわたって設けられている。３本の補強リブ３１は、全て凹部１０の底部１２に接続されている。３本の補強リブ３１は、連結部３０の幅方向で等間隔に配置され、互いに平行となっている。
【００２６】
（把持部）
図６は、くし１の背面図である。
図３から図６に示すように、把持部４０は、連結部３０における凹部１０とは反対側の端部に設けられている。把持部４０は、凹部１０から離間する方向に延びている。把持部４０は、平面視で開口縁１１の長軸Ｏ１に沿って直線状に延びている。把持部４０は、連結部３０よりも長い。把持部４０は、側面視で、凹部１０から離間するにしたがい、開口方向に傾斜している。側面視において、把持部４０の凹部１０に対する傾斜角は、連結部３０の凹部１０に対する傾斜角よりも小さい。把持部４０は、長手方向の中間部で最大幅となる。凹部１０およびくし歯２０は、把持部４０よりも柔らかくなるように厚さおよび長さが設定されている。
【００２７】
把持部４０は、表記面４１と、側壁リブ４３と、を備えている。
表記面４１は、把持部４０における開口縁１１側の表面に設けられている。表記面４１には、商品名や商標等の情報が記載されている。表記面４１には、エンボス加工によって、例えば「ｍｏｋｕｍｏｋｕｔｏ」（登録商標）と記載されている。
【００２８】
側壁リブ４３は、凹部１０の開口方向側の把持部４０表面と、凹部１０の開口方向とは反対側の把持部４０表面とにそれぞれ設けられている。側壁リブ４３は、把持部４０の外周縁に設けられている。側壁リブ４３は、第１側壁リブ４３ａと、第２側壁リブ４３ｂと、を有している。第１側壁リブ４３ａは、凹部１０の開口方向側の把持部４０表面の全周に形成されている。第２側壁リブ４３ｂは、凹部１０の開口方向とは反対側の把持部４０表面に設けられている。第２側壁リブ４３ｂは、平面視で、凹部１０に向かって開口するＵ字状に形成されている。第２側壁リブ４３ｂの端部は、３本の補強リブ３１のうち外側に位置する２本の補強リブ３１と接続されている。第２側壁リブ４３ｂは、補強リブ３１を介して凹部１０に接続されている。
把持部４０は、側壁リブ４３により、長手方向の中間部において、断面視Ｈ字状に形成されている。
側壁リブ４３および補強リブ３１によって、把持部４０および連結部３０の機械的強度を向上できる。これにより、凹部１０に保持されたヘナＢ１の重量で把持部４０および連結部３０が撓むことを抑制できる。したがって、ヘナＢ１を容易にすくい取ることができるとともに、使用者Ａの腕の動きに凹部１０を良好に追従させて凹部１０を動かすことができる。
【００２９】
把持部４０の長さは、平面視で例えば９４．８８ｍｍである。把持部４０の最大幅は、例えば２０．００ｍｍである。把持部４０の厚みは、例えば９．５７ｍｍである。
上述したくし１の全長は、平面視で例えば１８４．７７ｍｍである。くし１の幅は、例えば４６．１３ｍｍである。
【００３０】
（くしの使用方法）
以下、くし１を用いたヘナＢ１を塗布する方法について、図１および図２に基づいて説明する。
まず、図１および図２に示すように、使用者Ａは、片手で把持部４０を握り、凹部１０で容器（不図示）に貯留されたヘナＢ１をすくい取る。続いて、使用者Ａは、凹部１０の開口縁１１を頭部Ａ１に向けて、頭部Ａ１上に凹部１０および複数のくし歯２０を配置する。続いて、使用者Ａは、くし歯２０によって頭部Ａ１の頭髪Ａ２をとかして頭髪Ａ２を整えつつ、頭髪Ａ２にヘナＢ１を塗布する。このようにして、ヘナＢ１は、頭髪Ａ２全体に塗布される。
【００３１】
頭髪Ａ２にヘナＢ１を塗布した状態で放置すると、頭髪Ａ２は十分に染色される。その後、使用者Ａは、くし歯２０で頭髪Ａ２をとかしながら、流水で頭髪Ａ２から余分なヘナＢ１を洗い落す。頭髪Ａ２から余分なヘナＢ１を洗い落とすことにより、頭髪Ａ２の染色が完了する。
【００３２】
頭皮Ａ３にくし歯２０を接触させることにより、頭髪Ａ２だけでなく頭皮Ａ３に対してもヘナＢ１を塗布できる。一般に、ヘナＢ１には毛穴に詰まった角栓や余分な皮脂を落とす、いわゆるクレンジングの効果があることが知られている。このため、くし歯２０によって頭皮Ａ３にヘナＢ１を塗布することで、頭皮Ａ３のクレンジングを行うことができる。
【００３３】
その他、くし歯２０の先端部２１を頭皮Ａ３に接触させつつ頭皮Ａ３に対してくし歯２０を動かすことにより、頭髪Ａ２のシャンプーや頭皮Ａ３のマッサージを行うことができる。
【００３４】
上述の実施形態によれば、以下の作用および効果が得られる。
【００３５】
本実施形態によれば、くし１は、ヘナＢ１を保持する凹部１０を備えている。これにより、ブラシでヘナＢ１を保持する従来技術と比較して、頭髪Ａ２全体にヘナＢ１を塗布するのに十分な量のヘナＢ１を保持できる。これにより、使用者Ａは、凹部１０に保持されたヘナＢ１の残量を意識することなく、染め残しや塗布ムラを少なく頭髪Ａ２全体にヘナＢ１を塗布できる。特に、使用者Ａが自分で頭髪Ａ２を染色する場合に好適である。
また、くし１は、頭髪Ａ２および頭皮Ａ３全体にヘナＢ１を塗布するのに十分な量のヘナＢ１を保持できる。これにより、使用者Ａは、従来技術と比較して、頭髪Ａ２および頭皮Ａ３全体にヘナＢ１を塗布し終えるまでに凹部１０にヘナＢ１を補充する回数を少なくできる。したがって、くし１は、頭髪Ａ２および頭皮Ａ３全体にヘナＢ１を塗布する時間を短縮できる。
本実施形態によれば、くし１は、凹部１０の開口方向に延びる複数のくし歯２０を備えているので、くし歯２０により頭髪Ａ２をとかして頭髪Ａ２を整えつつ、頭髪Ａ２にヘナＢ１を塗布できる。さらに、くし歯２０によって頭皮Ａ３にヘナＢ１を塗布できるので、頭髪Ａ２の新生部分までヘナＢ１を塗布できる。これにより、くし１は、染め残しや塗布ムラを少なくできる。
【００３６】
例えばくし歯２０が凹部１０の内部に設けられている場合、ヘナＢ１を保持する凹部１０の容積がくし歯２０の体積分減少する。本実施形態によれば、複数のくし歯２０は、全て凹部１０の開口縁１１に設けられているので、くし歯２０が凹部１０の内部に設けられている場合と比較して、くし１は、ヘナＢ１を保持するための凹部１０の容積を大きく確保できる。したがって、くし１は、凹部１０でより多くのヘナＢ１を保持できるので、くし歯２０が凹部１０の内部に設けられている場合と比較して、塗布１回あたりのヘナＢ１の量を増量できる。よって、くし１は、頭髪Ａ２および頭皮Ａ３全体にヘナＢ１を塗布する時間を短縮できる。
また、くし歯２０は、凹部１０の開口縁１１に設けられるとともに、開口縁１１から凹部１０の開口方向に延びている。これにより、使用者Ａは、すでに頭皮Ａ３に塗布されてあるヘナＢ１を、くし歯２０によって頭皮Ａ３全体に満遍なく塗布できる。したがって、ヘナＢ１を用いた頭皮Ａ３のクレンジングを容易に行うことができる。
【００３７】
本実施形態によれば、くし歯２０が凹部１０の開口縁１１に沿って等間隔に配置されているので、くし歯２０により頭髪Ａ２をとかして頭髪Ａ２を整えつつ、頭髪Ａ２にヘナＢ１を塗布できる。これにより、くし１は、塗布ムラを少なくできる。
【００３８】
本実施形態によれば、隣り合う胴部２３同士の最大間隔Ｌ１＝８．３ｍｍ、くし歯２０の長さＬ２＝２３．７１ｍｍ、くし歯２０の胴部２３の最小幅Ｌ３＝６．９３ｍｍおよびくし歯２０の胴部２３の最大幅Ｌ４＝９．５７ｍｍに設定することで、染め残しや塗布ムラを少なくできることが確認できた。
【００３９】
本実施形態によれば、くし歯２０の先端部２１は、丸みを帯びているので、くし１は、頭髪Ａ２にヘナＢ１を塗布する際、くし歯２０の先端部２１が頭皮Ａ３に接触して痛みが生じるのを防止できる。これにより、使用者Ａは、痛みを感じることなく、くし歯２０の先端部２１を頭皮Ａ３に接触させつつ頭皮Ａ３に対してくし歯２０を動かすことができる。このため、使用者Ａは、くし歯２０の先端部２１によって頭髪Ａ２の新生部分までヘナＢ１を塗布できるので、染め残しを少なくできる。また、使用者Ａは、痛みを感じることなく、くし歯２０の先端部２１を頭皮Ａ３に接触させつつ頭皮Ａ３に対してくし歯２０を動かせるので、頭皮マッサージを行うことができる。頭皮マッサージを行うことにより、頭皮Ａ３の血行を促進できる。
【００４０】
本実施形態によれば、くし１は、凹部１０から離間した位置に把持部４０を備えている。これにより、使用者Ａは、把持部４０を把持することで、凹部１０を把持することなく頭髪Ａ２にヘナＢ１を塗布できる。したがって、くし１は、使用者Ａの手にヘナＢ１が付着することを防止できる。
【００４１】
一般に、成人の手幅の平均値は、７０ｍｍ以上９０ｍｍ以下である。本実施形態によれば、把持部４０の長さは９４．８８ｍｍなので、一般の成人の手幅より長くなる。これにより、使用者Ａは、掌全体で把持部４０を把持できる。したがって、使用者Ａは、把持部４０をしっかり把持して頭髪Ａ２にヘナＢ１を塗布できる。
本実施形態によれば、把持部４０の長さが１００ｍｍ以下に設定されているので、把持部４０が掌全体で把持されるのに必要な長さ以上に長くならない。これにより、くし１が必要以上に重くなることを防止できる。また、把持部４０のうち把持に不要な部分がないので、使用感を向上できる。
【００４２】
本実施形態では、凹部１０およびくし歯２０は、把持部４０よりも柔らかいので、くし１は、頭髪Ａ２にヘナＢ１を塗布する際、くし歯２０の先端部２１および凹部１０が頭皮Ａ３に接触して痛みが生じるのを防止できる。
【００４３】
一般に、ヘナＢ１は、頭髪Ａ２を染めるには、他の染料と比較して大量に塗布される必要がある。本実施形態によれば、くし１は、ヘアカラーリング剤Ｂを保持する凹部１０を備えている。これにより、くし１は、従来技術と比較して、ヘナＢ１を大量に保持できる。したがって、上記構成のくし１は、ヘナＢ１を用いて頭髪Ａ２を染めるのに好適である。
【００４４】
本実施形態によれば、くし１は、例えばＡＢＳ樹脂等の柔らかい材料で形成されている。これにより、くし１は、頭髪Ａ２にヘナＢ１を塗布する際、くし歯２０の先端部２１および凹部１０が頭皮Ａ３に接触して痛みが生じるのを防止できる。
【００４５】
本実施形態によれば、把持部４０は、商品名や商標等の情報が記載される表記面４１を備えている。これにより、くし１自体に宣伝効果を付加できる。
本実施形態によれば、表記面４１には、エンボス加工によって、商品名や商標等の情報が記載される。これにより、表記面４１に凹凸が形成される。表記面４１に形成された凹凸は、使用者Ａが把持部４０を把持した際に、滑り止めとして機能することができる。
【００４６】
以上、本考案の好ましい実施形態を説明したが、本考案はこれら実施形態に限定されることはない。本考案の趣旨を逸脱しない範囲で、構成の付加、省略、置換、およびその他の変更が可能である。本考案は上述した説明によって限定されることはなく、添付の実用新案登録請求の範囲によってのみ限定される。
上記実施形態では、くし歯２０は、１１本設けられているとしたが、これに限られない。くし歯２０の本数は適宜変更可能である。
【００４７】
上記実施形態では、くし１は、例えばＡＢＳ樹脂等の柔らかい材料で形成されているとしたが、これに限られない。くし１は、例えば他の樹脂材料やシリコーン等で形成されていてもよい。
上記実施形態では、凹部１０の開口縁１１は、平面視で楕円状に形成されているとしたがこれに限られない。開口縁１１は、平面視で真円状に形成されていてもよく、多角形状に形成されていてもよい。
上記実施形態では、凹部１０は、ヘアカラーリング剤ＢとしてヘナＢ１を保持するとしたがこれに限られない。凹部１０は、ヘアカラーリング剤Ｂとしてインディゴやクルクミン等の染料を持つ植物等を保持してもよい。クルクミンを含有する植物として、例えばターメリックが挙げられる。
【００４８】
上記実施形態では、凹部１０およびくし歯２０の厚さや長さの設定によって、凹部１０およびくし歯２０を把持部４０よりも柔らかくしているとしたが、これに限られない。凹部１０およびくし歯２０を把持部４０の材料よりも柔らかい材料で形成することにより、凹部１０およびくし歯２０を把持部４０よりも柔らかくしてもよい。
【００４９】
上記実施形態では、複数のくし歯２０は、全て開口縁１１に設けられているとしたが、これに限られない。くし歯２０は、凹部１０の内側に設けられていてもよい。ただし、本実施形態では複数のくし歯２０が全て開口縁１１に設けられているので、ヘナＢ１を保持するための凹部１０の容積を大きく確保できるという点で本実施形態に優位性がある。
【００５０】
その他、本考案の趣旨を逸脱しない範囲で、上述した実施形態における構成要素を周知の構成要素に置き換えることは適宜可能であり、また、上述した各変形例を適宜組み合わせてもよい。
【符号の説明】
【００５１】
１…くし
１０…凹部
１１…開口縁
２０…くし歯
２１…先端部
３０…連結部
４０…把持部
Ａ２…頭髪
Ａ３…頭皮
Ｂ…ヘアカラーリング剤
Ｂ１…ヘナ
Ｌ１…最大間隔（間隔）
Ｌ２…長さ
Ｌ３…最小幅（幅）
Ｌ４…最大幅（幅）
【図１】
0003233282.tif 000003
【図２】
0003233282.tif 000004
【図３】
0003233282.tif 000005
【図４】
0003233282.tif 000006
【図５】
0003233282.tif 000007
【図６】
0003233282.tif 000008